(57)【要約】  本発明は、ホルダー(6、6´)上に回転可能に取り付けられた少なくとも１つの脚輪(4、4´)を備え、該ホルダ(6、6´)は引き戸(2、2´)に固定され得る取り付けプレート(7、7´)に対して移動可能に取り付けられ、更に少なくとも一部が垂直方向に動作して上記ホルダ(6、6´)に対する取り付けプレート(7、7´)の垂直位置を揃える調節機構を備えた引き戸(2、2´)用の金具、特に家具用の金具に関する。本発明に従えば、自動引き込み式機構及び/又はストッパー(10)と係合しうる少なくとも１つの作動装置(8、8´)が上記ホルダー（6、6´）もしくは上記調節機構に固定されている。【選択図】  図１
2014517169.tif 000002
【特許請求の範囲】
【請求項１】
ホルダー(６、６´)上に回転可能に取り付けられた少なくとも１つの脚輪(４、４´)を備え、該ホルダ(６、６´)は引き戸(２、２´)に固定され得る取り付けプレート(７、７´)に対して移動可能に取り付けられ、更に少なくとも一部が垂直方向に動作して上記ホルダ(６、６´)に対する取り付けプレート(７、７´)の垂直位置を揃える調節機構を備えた引き戸(２、２´)用の金具、特に家具用の金具において、
自動引き込み式機構及び/又はストッパー(１０)と係合しうる少なくとも１つの作動装置(８、８´)が上記ホルダー（６、６´）もしくは上記調節機構に固定されていることを特徴とする引き戸(２、２´)用金具。
【請求項２】
上記作動装置(８、８´)は、上記調節機構による高さ調整の場合に、上記ホルダー（６、６´）または調節機構に堅固に残存したままである、請求項１に記載の金具。
【請求項３】
上記作動装置(８、８´)は、上記取り付けプレート(７、７´)に移動可能に取り付けられている、請求項１又は２に記載の金具。
【請求項４】
上記作動装置(８、８´)は、自動引き込み式機構(９)のドライバー及び/又はストッパー(１０)と連結可能な突出部を有する、請求項１乃至３の何れかに記載の金具。
【請求項５】
上記ホルダー（６、６´）上の脚輪(４、４´)は、レール(５)上のホルダー（６、６´）に移動可能に取り付けられ、上記取り付けプレート(７、７´)に固定された引き戸(２、２´)の部品は、上記調節機構によって高さが調節可能である、請求項１乃至４の何れかに記載の金具。
【請求項６】
上記調節機構は、長孔(２１、２２、４１、４８)内に移動可能に取り付けられている数本のピン(１９、２０、４２)を備えている、請求項１乃至５の何れかに記載の金具。
【請求項７】
上記ホルダーは、高さ調節用に、上記取り付けプレート(７)上に垂直及び水平方向に傾いて移動可能に取り付けられている、請求項１乃至６の何れかに記載の金具。
【請求項８】
上記調節機構は、ねじ付きスリーブ(１８、４５)上に回転可能に取り付けられ、上記取り付けプレート(７、７´)に対して上記ホルダー(６、６´)を移動させるねじ付きロッド(１６、４４)を備えている、請求項１乃至７の何れかに記載の金具。
【請求項９】
溝が上記ねじ付きロッド(１６)に固定され、該溝の中にホルダー(６)の曲がった縁(１２)又は上記取り付けプレート(７)の少なくとも一部が挿入される、請求項８に記載の金具。
【請求項１０】
中間プレート(４０)がホルダー(６´)と取り付けプレート(７´)との間に配置され、該中間プレートによって上記ホルダー(６´)は取り付けプレート(７´)に対して移動可能である、請求項１乃至９の何れかに記載の金具。
【請求項１１】
上記中間プレート(４０)は、上記調節機構によって取り付けプレート(７´)に対して移動され、上記中間プレート(４０)はホルダー(６´)に対して移動され、上記取り付けプレート(７´)はホルダー(６´)に対して略垂直方向に移動する、請求項１０に記載の金具。
【請求項１２】
上記ホルダー(６、６´)及び取り付けプレート(７、７´)は、穴開けられたり曲げられたりした金属板から製造される、請求項１乃至１１の何れかに記載の金具。
【発明の詳細な説明】
【技術分野】
【０００１】
本発明は引き戸用の金具に関し、特に家具用に関し、引き戸に固定可能な取り付けプレートに対して移動可能に支持されホルダーに回転可能に取り付けられた少なくとも一つの脚輪と、取り付けプレートの垂直位置を上記ホルダーに対してまっすぐにするために少なくとも部分的には垂直方向に動作可能な調節機構とを有する金具に関する。
【背景技術】
【０００２】
特許文献１は、脚輪の軸が斜めに配置された長穴に案内される引き戸用脚輪のための調節機構を開示している。長穴は１つのネジによって水平に移動可能な変位手段の中に配置されているので、変位手段が動くと、上記脚輪の高さが変位手段を覆うハウジングに対して調節可能になっている。
【先行技術文献】
【特許文献】
【０００３】
【特許文献１】米国特許第3,512,209号
【発明の概要】
【発明が解決しようとする課題】
【０００４】
調節機構のハウジングが自動引き込み式機構又はストッパーと連結することは問題がある、何故ならハウジングは高さが脚輪に対して調節されるので、ストッパー又は家具の断片本体に固定された自動引き込み式機構は高さ調節可能なハウジングに取り付けられた作動装置と接続するのは困難性のみ伴うからである。
従って、本発明の目的は、高さ調節が可能であって、自動引き込み式機構又はストッパーと簡単に連結され得る引き戸用の金具を提供することである。
【課題を解決するための手段】
【０００５】
この目的は、請求項１の特徴をともなう金具によって解決される。
本発明に従って、自動引き込み式機構又はストッパーと係合する少なくとも１つの作動装置が、上記ホルダーもしくは上記調節機構に固定されている。この結果、上記金具が家具本体にある引き戸の高さ調節をするだけでなく、同時に引き戸の開閉時にその他の機能を行うことができ、作動装置は自動引き込み式機構及び/又はストッパーつまりラッチ要素と連結される。
これにより上記引き戸は使用目的にふさわしい金具を備え付けることが可能になり、この金具はそして自動引き込み式機構やストッパーといったさらなる機能的部品と連結される。これにより、少ない部品だけでコンパクトな構成が可能となる。
【０００６】
好ましい形態としては、上記作動装置は上記調節機構による高さ調節の際に、上記ホルダーか上記調節機構に堅固に残存したままになり、その結果、上記作動装置は相対的に上記家具本体と同じ高さを維持する。これにより上記作動装置の自動引き込み式機構のドライバーやストッパーとの相対的な正確な位置決めが可能となる。
【０００７】
上記作動装置は取り付けプレートに移動可能に取り付けられるのが好ましい。上記作動装置はこの際、自動引き込み式機構のドライバー及び/又はストッパーに繋がる突出部を備えることができ、上記作動装置はプラスチック部材もしくは金属部材としてホルダーもしくは調節機構の部品に固定される。
【０００８】
金具に関して、上記脚輪が上記ホルダーでレールの上を動かせるように取り付けられており、調節機構によって上記取り付けプレートに固定されたドア部材が高さ調節されるのが好ましい。本発明に従った各金具は、ドア部材の両側に取り付けられ、高さ調節に加えてドア部材の傾斜調節も可能になる。
【０００９】
一実施形態において、上記調節機構は長穴内に移動可能に取り付けられる幾つかのピンを備えている。これによって重い引き戸部材を動かしうる安定した案内が保障される。
特にコンパクトな構成においては、上記ホルダーは高さ調整のために上記取り付けプレート上に垂直方向と水平方向に対して傾いて移動可能に取り付けられている。そして上記ホルダーは直接上記組立プレートに案内されることができ、垂直方向と水平方向に対して傾いて移動することによって高さ調整が遂行される。
【００１０】
上記調節機構は、ねじ付きスリーブもしくはナットに回転可能に取り付けられ上記ホルダーを上記取り付けプレートに対して移動するねじ付きロッドを備えてもよい。これにより高さ調節は特に正確に実現されうる。上記ねじ付きロッドは溝を備え、該溝に上記ホルダーの曲がった縁もしくは上記取り付けプレートの少なくとも一部が挿入される。上記ねじ付きロッドは上記縁に回転可能に支持されているが、軸方向に移動可能ではない。これにより、上記取り付けプレートの上記ホルダーに対する移動は、ねじ付きロッドの回転によって達成されうる。
【００１１】
更なる実施形態に従って、上記ホルダーと上記取り付けプレートの間には中間プレートが配置される。この中間プレートにより上記ホルダーは上記取り付けプレートに対して移動可能となる。中間プレートの構成により上記調節機構は、上記中間プレートが相対的に上記取り付けプレートへ移動可能であり、さらに上記中間プレートは上記ホルダーに対して移動可能である。その結果、上記取り付けプレートは上記ホルダーに対して略垂直方向へ移動可能である。これにより調節工程時に、上記脚輪は垂直方向へのみ動き、その結果横向きの移動は起こらない。
【図面の簡単な説明】
【００１２】
本発明は、添付の図面に示された幾つかの実施形態を参照して、より詳しく説明されるであろう。
【図１】本発明に従った、取り付け状態の金具の斜視図である。
【図２】本発明に従った、変更された家具本体内の金具の斜視図である。
【図３Ａ】本発明に従った、図１の金具の幾つかの図である。
【図３Ｂ】本発明に従った、図１の金具の幾つかの図である。
【図３Ｃ】本発明に従った、図１の金具の幾つかの図である。
【図３Ｄ】本発明に従った、図１の金具の幾つかの図である。
【図３Ｅ】本発明に従った、図１の金具の幾つかの図である。
【図４】本発明に従った、引き戸前部用の金具の斜視図である。
【図５Ａ】図４の金具の図である。
【図５Ｂ】図４の金具の図である。
【図６Ａ】本発明に従った、変更された実施形態の金具の幾つかの図である。
【図６Ｂ】本発明に従った、変更された実施形態の金具の幾つかの図である。
【図６Ｃ】本発明に従った、変更された実施形態の金具の幾つかの図である。
【図６Ｄ】本発明に従った、変更された実施形態の金具の幾つかの図である。
【図６Ｅ】本発明に従った、変更された実施形態の金具の幾つかの図である。
【発明を実施するための形態】
【００１３】
キャビネットのような家具本体１に引き戸２が移動可能に取り付けられている。この目的から、上記引き戸２に金具３が取り付けられ、該金具３はレール５上を移動可能な脚輪４を備えている。該脚輪４はホルダー６に回転可能に取り付けられている。該ホルダー６は取り付けプレート７によって上記引き戸２に保持されている。上記金具３はロッド状の作動装置８を備えており、該作動装置は、本体１に固定されている自動引き込み式機構９のドライバーと係合可能である。このような移動可能なドライバーを含む自動引き込み式機構９は一般に公知であるので、ここでは詳しく説明しない。
【００１４】
図２は、引き戸２上の上記金具３を示しており、上記作動装置８は自動引き込み式機構９でなくストッパー１０に係合可能である。上記ストッパー１０は２つの可撓性のスプリングアームを備え、そのため作動装置８はストッパー１０に係止することができる。上記作動装置８によって、上記レール５に隣接した上記家具本体１の上面に固定されている、自動引き込み式機構９、ストッパー１０、ダンパー、もしくはその他の部品のような更なる部品との連結が可能である。
【００１５】
図３Ａ乃至図３Ｅは、金具３を詳細に示している。脚輪４はホルダー６に固定されたシャフト１１の周りに回転可能に取り付けられている。上記ホルダー６は曲げられ打ち抜かれた金属板から作られ、略Ｕ字型の輪郭をもっており、底面部分に上記脚輪４が固定されており、側部には突き出た縁１２が形成されている。各縁１２に外向きに開口しているスリット１３が形成されている。
【００１６】
上記スリット１３は、ねじ付きロッド１６を備えた調節機構との接続に用いられる。上記ねじロット１６には２つのディスク１５が固定されており、該ディスク間には縁１２の材料が部分的に挿入される溝１４が形成されている。上記ねじ付きロッド１６は上記縁１２に回転可能に取り付けられているが、軸方向に移動可能ではない。さらに上記ねじ付きロッド１６は内ねじを備えて上記作動装置８に接続されるねじ付きスリーブ１８によって案内される。上記ねじ付きロッド１６は端部に工具インサートを有する頭部１７を備え、上記ねじ付きロッド１６は工具との噛み合いによりねじ付きロッド１６が回転することができる。
上記ねじ付きスリーブ１８は、部品３８に固定されており、該部品３８上にピン１９を挿通して案内するための２つの開口部が配列されている。
【００１７】
図３Ｂ及び図３Ｅに示すように、前記ピン１９は上記部品３８と上記取り付けプレート７を通って案内され、縦長孔２２が取り付けプレート７内に凹んで設けられ、上記ピン１９は縦長孔２２を通って案内される。
【００１８】
３つの長孔２１が更に上記取り付けプレート７の中間領域に凹んで設けられ、夫々の長孔にピン２０が係合している。上記長孔２１は水平方向に対して角度αで配置され、該角度は例えば１０°から４０°の間である。上記ピン２０に上記ピン２０と共に移動可能である上記ホルダー６が固定されている。
【００１９】
上記取り付けプレート７は更に、固定手段用の開口部２３を有しており、これによって上記取り付けプレート７は引き戸２の後側に固定される。取り付け後の上記取り付けプレート７のずれを防ぐため、該後側にて上記取り付けプレート７から突出端部２４が更に配置され、該突出端部は上記引き戸２内に運ばれる。
上記取り付けプレート７は上記縦長孔２２に対して中央垂直平面に対称に配置されており、一方、上記ホルダー６も中央垂直方面に対称に配置されているので、上記金具３は上記引き戸の右側にも左側にも用いられ得る。
【００２０】
調整工程のために上記ねじ付きロッド１６は工具によって回転される。これにより上記ホルダー６は傾いて配置された上記長孔２１に沿って上記取り付けプレート７に対して移動する。上記ねじ付きロッド１６は、水平に配置されたままになる、何故なら、上記ホルダー６と部品３８との距離は変化するが、高さに関しては相対的に同じであるからである。上記ホルダー６は上記縦長孔２２に沿って案内される上記部品３８と共に移動する。これにより上記作動装置８は上記脚輪４に対して同じ高さに配置されたままとなる。上記脚輪４と上記作動装置間の水平方向の距離のみが変化するものの、上記引き戸２の開閉工程には無関係である。
【００２１】
図５Ａ及び図５Ｂは、上記金具の変更された構成を示す。図３Ａ乃至図３Ｅの金具は引き戸の後部にのみ使用され得るが、図５Ａ及び図５Ｂの金具はまた、引き戸の中央部又は前部にも使用され得る。この目的から角領域３０が配置され、該角領域は固定手段によって引き戸の中央部もしくは前部に固定される。上記取り付けプレート７用の止め具３２が突出脚部３１に固定されている。上記組立プレート７には回転可能な脚輪４を備えたホルダー６が取り付けられている。上記ホルダー６は図３Ａ乃至図３Ｅで既に説明されたように調節機構によって上記組立プレート７上に移動可能に取り付けられている。上記取り付けプレート7と上記角領域３０の垂直部の間の距離は、一つもしくは複数の引き戸２が重なることができるように選択されている。
【００２２】
図６Ａ乃至図６Ｅは、金具３´の変更された実施形態を示す。上記金具３´は、取り付けプレート７´とホルダー６´を備え、その上に脚輪４´が回転可能に取り付けられるシャフト１１´がホルダー６´に固定される。板状の上記ホルダー６´にはピン状の作動装置８´が保持された部品８０が固定されている。上記部品８０の下側にはレール５と家具本体１の上側で重なるＵ字型の保持器８１が形成されている。これによって、上記ホルダー６´が上記レール５の縦方向にのみ動くことを防ぐことができる。
【００２３】
上記ホルダー６´と上記取り付けプレート７´の間には中間プレート４０が配置されている。上記中間プレート４０には水平方向に対して、１０°から３０°の間の角度で傾くように配置された３つの傾いた長孔４１が凹んで設けられている。上記長孔４１にはピン４２が貫通している。上記ピン４２はさらに上記取り付けプレート７´に作られた垂直の長孔４８も貫通している。
【００２４】
上記中間プレート４０は両側に突出縁４３を備えており、該縁はねじ付きロッド４４が挿通するスリットを備えている。ねじ付きロッド４４は、上記取り付けプレート７´の突起部４７に回転可能に取り付けられており、上記ねじ付きロッド４４は、工具インサートを有するねじ付きロッド４４のヘッド４６と切り込み溝の間で回転可能ではあるが、上記取り付けプレート７´の軸方向には移動可能ではない。さらに、内部ねじを備えた２つのディスク４５がねじ付きロッド４４上に配置され、２つの該ディスクの間に上記中間プレート４０が保持されている。
従って、ねじ付きロッド４４の回転により、上記中間プレート４０は上記取り付けプレート７´に対して水平方向に移動することができる。水平移動を達成するために、上記ねじ付きロッド４４の代わりに他の調節機構を配置することも明白に可能である。更に、上記ねじ付きロッド４４は上記中間プレート４０に軸方向に固定され、回転によって上記取り付けプレート７´の移動を達成することもできる。
【００２５】
上記ねじ付きロッド４４が回転すると、ねじ付きロッド４４と取り付けプレート７´は互いに水平方向に移動し、長孔４１、４８に案内されたピン４２は垂直方向に移動する。上記ホルダー６´はピン４２に固定され、ホルダーはこのようにピン４２と共に垂直方向に移動する。調節機構は、取り付けプレート７´とホルダー６´は互いに水平方向に動かないが、単に垂直方向に動くように構成される。
【００２６】
ピン５１は更に上記取り付けプレート７´に配置され、ピンは上記ホルダー６´又は部品８０の垂直な長孔に案内される。部品８０は上記ホルダー６´に固定されているから、脚輪４に対する作動装置８´の高さ調節はない。
【００２７】
示された実施形態では、上記ホルダー６、６´、取り付けプレート７、７´及び中間プレート４０は、穴開けられたり曲げられたりした金属板から製造される。本発明に従って、金具用の他の材料及び部品を供給することも明確に可能である。さらに、調節機構は変更され得る、何故なら上記ねじ付きロッド１６及び４４に代えて他の調節機構を用いることも可能だからである。
【図１】
2014517169.tif 000003
【図２】
2014517169.tif 000004
【図３Ａ】
2014517169.tif 000005
【図３Ｂ】
2014517169.tif 000006
【図３Ｃ】
2014517169.tif 000007
【図３Ｄ】
2014517169.tif 000008
【図３Ｅ】
2014517169.tif 000009
【図４】
2014517169.tif 000010
【図５Ａ】
2014517169.tif 000011
【図５Ｂ】
2014517169.tif 000012
【図６Ａ】
2014517169.tif 000013
【図６Ｂ】
2014517169.tif 000014
【図６Ｃ】
2014517169.tif 000015
【図６Ｄ】
2014517169.tif 000016
【図６Ｅ】
2014517169.tif 000017
【国際調査報告】
2014517169.tif 000018
2014517169.tif 000019
2014517169.tif 000020
2014517169.tif 000021